(57)【要約】【課題】管又は丸棒の外周面に形成された雄ねじに付着したシールを容易に剥離・除去可能な工具を提供する。【解決手段】シール除去工具１は、第１挟持部１１と、第１挟持部１１に対向して配置される第２挟持部２１と、第１挟持部１１と第２挟持部２１との合わせ面に形成され、雄ねじ３１の軸方向に異なる位置においてそれぞれ雄ねじ３１の周方向に沿って噛み合う複数の噛み合い部と、を備える。【選択図】図１
2012030317.tif 000002
【特許請求の範囲】
【請求項１】
管又は丸棒の外周面に形成された雄ねじに付着したシールを除去するシール除去工具であって、
第１挟持部と、
前記第１挟持部に対向して配置される第２挟持部と、
前記第１挟持部と前記第２挟持部との突き合わせ面に形成され、前記雄ねじの軸方向に異なる位置においてそれぞれ前記雄ねじの周方向に沿って噛み合う複数の噛み合い部と、
を備えたことを特徴とするシール除去工具。
【請求項２】
請求項１に記載のシール除去工具であって、
前記複数の噛み合い部は、前記第１挟持部と前記第２挟持部との突き合わせ面に形成される雌ねじによって形成される、
ことをと特徴とするシール除去工具。
【請求項３】
請求項１または２に記載のシール除去工具であって、
前記第１挟持部及び前記第１挟持部に接続する第１アームを有する第１回動部材と、
前記第２挟持部及び前記第２挟持部に接続する第２アームを有し、前記第１回動部材と交差し、当該交差位置において前記第１回動部材に対して回動可能に連結される第２回動部材と、
を備えたことを特徴とするシール除去工具。
【発明の詳細な説明】
【技術分野】
【０００１】
本発明は、シールを除去するシール除去工具に関する。
【背景技術】
【０００２】
配管設備部品の配管を被接続部位に接続する方法、２つの管を接続する方法として、管の端部に雄ねじ、管が接続される部位に雌ねじを形成し、雄ねじにシールテープ又はシール剤（以下、総称して「シール」という。）を付着させた状態で両者を螺合させる方法がある。この方法によれば、管を接続するとともに、接続部の気密性・液密性を確保することができる。
【０００３】
このような方法で接続された管を取り外し再び接続する場合には、シールの密着度が低下するので、古いシールを除去し雄ねじに新しいシールを付着させる必要がある。また、シールが劣化し接続部の気密性・液密性が低下した場合にも、同様に古いシールを新しいシールに交換する必要がある。
【０００４】
特許文献１は、開閉可能な先端の間に雄ねじを挟み込み、この状態で工具を回転させることで古いシールを除去するクリップ状の工具を開示している。この工具を用いれば、千枚通しのような工具を用いてシールを除去する場合と比較して、シールを容易に除去することが可能である。
【先行技術文献】
【特許文献】
【０００５】
【特許文献１】実開昭６１−１０５５７８号公報
【発明の概要】
【発明が解決しようとする課題】
【０００６】
しかしながら、特許文献１が開示する工具は、先端と雄ねじとの接触面積が少なく、シールを完全に除去するためには、工具を順方向に回転させた後に一旦先端を開いて工具を逆方向に回転させ、再び先端を閉じて工具を順方向に回転させる「戻し回し動作」を繰り返す必要があり、作業効率が悪いという問題があった。
【０００７】
本発明は、このような技術的課題に鑑みてなされたもので、管又は丸棒の外周面に形成された雄ねじに付着したシールを容易に除去可能な工具を提供することを目的とする。
【課題を解決するための手段】
【０００８】
本発明のある態様によれば、管又は丸棒の外周面に形成された雄ねじに付着したシールを除去するシール除去工具であって、第１挟持部と、前記第１挟持部に対向して配置される第２挟持部と、前記第１挟持部と前記第２挟持部との突き合わせ面に形成され、前記雄ねじの軸方向に異なる位置においてそれぞれ前記雄ねじの周方向に沿って噛み合う複数の噛み合い部と、を備えたことを特徴とするシール除去工具が提供される。
【発明の効果】
【０００９】
上記態様によれば、雄ねじと噛み合い部との間で十分な接触面積を確保するとともに、雄ねじと工具とを一定方向に相対回転させれば、雄ねじに付着したシールに複数の噛み合い部を順次接触させることができるので、特許文献１に開示される工具と比較して、シールをより容易に剥離・除去することができる。
【図面の簡単な説明】
【００１０】
【図１】本発明の実施形態に係るシール除去工具の全体図である。
【図２】図１の丸Ａで囲んだ部分の拡大図である。
【図３】雄ねじにシールが付着した管を示した図である。
【図４】シールを除去する作業を示した図である。
【図５Ａ】雄ねじに付着したシールが除去される様子を示した図である。
【図５Ｂ】雄ねじに付着したシールが除去される様子を示した図である。
【発明を実施するための形態】
【００１１】
以下、添付図面を参照しながら本発明の実施形態について説明する。
【００１２】
シール除去工具１は、管３の端部に形成された雄ねじ３１に付着したシール３２（図３参照）を除去するために用いられる工具である。ここでいう「シール」には、雄ねじ３１に巻き付けられたシールテープの他、雄ねじ３１に塗布された液体パッキン、シリコンシール等が含まれる。
【００１３】
シール除去工具１は第１回動部材１０及び第２回動部材２０を備える。第１回動部材１０は、第１挟持部１１と、これに接続する第１アーム１２と、第１挟持部１１と第１アーム１２との間に形成される第１円形係合部１３とを有している。同様に、第２回動部材２０は、第２挟持部２１と、これに接続する第２アーム２２と、第２挟持部２１と第２アーム２２との間に形成される第２円形係合部２３とを有している。第１回動部材１０と第２回動部材２０とは、第１円形係合部１３と第２円形係合部２３とを重ね合わせ、当該部位をピンで連結することによって回動可能に連結される。
【００１４】
なお、以下の説明においては、第１挟持部１１と第２挟持部２１との距離を増大させることを「挟持部１１、２１を開く」と表現し、逆に、減少させることを「挟持部１１、２１を閉じる」と表現する。
【００１５】
第１挟持部１１及び第２挟持部２１の対向面には、図２に示すように、雌ねじ形状を中心軸を通る面で分割して得られる形状の凹溝１４、２４がそれぞれ形成されている。第１挟持部１１と第２挟持部２１とが突き合わされると、凹溝１４、２４が組み合わされ、突き合わせ面Ｃに雌ねじ４０が形成される。雌ねじ４０は突き合わせ面Ｃに平行に、かつ、挟持部１１、１２の側面Ｓに対して直角な方向に延びる。また、この例では、異なる内径を有する雌ねじ４０が４本形成されている。
【００１６】
シール除去工具１は作業者がアーム１２、２２に作用させる力に応じて動作し、アーム１２、２２を握ると挟持部１１、２１が閉じられ、作業者がアーム１２、２２の把持を緩める又はアーム１２、２２に作用させている力を解放すると挟持部１１、２１が開かれる。
【００１７】
続いて上記シール除去工具１を用いたシール除去手順について説明する。
【００１８】
図３は、シール３２が付着した雄ねじ３１を示している。シール３２は雄ねじ３１の略全面に付着しており、これを千枚通しや特許文献１に開示されるクリップ状の工具を用いて剥離・除去するのは容易ではない。しかしながら、本実施形態に係るシール除去工具１を用いれば次の手順によりシール３２を容易に剥離・除去することができる。
【００１９】
まず、開かれた挟持部１１、２１の間に雄ねじ３１を配置する。作業者がアーム１２、２２を握り、挟持部１１、２１を閉じると、図４に示すように、雄ねじ３１が第１挟持部１１と第２挟持部２１との間に挟み込まれる。この時、雄ねじ３１は雌ねじ４０に螺合する。
【００２０】
図５Ａはこの時の挟持部１１、２１の断面図である。雄ねじ３１と雌ねじ４０は、軸方向に異なる複数の位置において噛み合っており、雄ねじ３１の周方向に沿って噛み合う噛み合い部４１が軸方向に複数形成される。噛み合い部４１の内径（雌ねじの最小径）はいずれも等しい。
【００２１】
次に、作業者がアーム１２、２２を握り、雄ねじ３１を挟持部１１、２１で挟持したまま管３をシール除去工具１に対して回転させる。管３の回転方向は管３がシール除去工具１から繰り出される方向である。ここでは管３をシール除去工具１に対して回転させているが、シール除去工具１を管３に対して回転させてもよいし、管３とシール除去工具１を互いに逆方向に回転させてもよい。
【００２２】
図５Ｂはシール除去工具１をある程度回転させた後の挟持部１１、２１の断面図である。シール除去工具１を回転させると、雌ねじ４０とシール３２との間の摩擦によって雄ねじ３１の全面からシール３２が剥離する。シール除去工具１を回転させている途中、仮にある噛み合い部４１でシール３２が除去されず残ったとしても、残ったシール３２に別の噛み合い部４１が続けて接触するので、シール除去工具１の回転角がある程度の角度に達すれば、シール３２は全て除去される。
【００２３】
雄ねじ３１から剥離したシール３２は第１挟持部１１と第２挟持部２１との間に残る。作業者がアーム１２、２２を握る力を緩め、又は、解放し、挟持部１１、２１を開くと、挟持部１１、２１の間に残ったシール３２を取り出すことができる。
【００２４】
続いて、上記実施形態の作用効果について説明する。
【００２５】
上記実施形態では、第１挟持部１１と第２挟持部２１との突き合わせ面Ｃに形成され、雄ねじ３１の軸方向に異なる位置においてそれぞれ雄ねじ３１の周方向に沿って噛み合う複数の噛み合い部４１を備えた。これにより、雄ねじ３１と噛み合い部４１との間で十分な接触面積を確保するとともに、雄ねじ３１とシール除去工具１とを一定方向に相対回転させれば雄ねじ３１に付着したシール３２に複数の噛み合い部４１を順次接触させることができ、シール３２をより容易に剥離・除去することができる（請求項１に記載の発明に対応する効果）。
【００２６】
複数の噛み合い部４１は、個別に形成するよりも、上記実施形態のように、第１挟持部１１と第２挟持部２１との突き合わせ面Ｃに形成される雌ねじ４０によってまとめて形成するのが好適である。これにより、複数の噛み合い部４１を容易に形成することができる（請求項２に記載の発明に対応する効果）。
【００２７】
また、上記実施形態では、径の異なる雄ねじ３１に対応して複数の雌ねじ４０を形成した。これにより単一のシール除去工具１で、径の異なる雄ねじ３１に付着したシールを除去することができる。
【００２８】
また、シール除去工具１を、第１挟持部１１及び第１アーム１２を有する第１回動部材１０と、これに交差し、回動可能に連結される、第２挟持部２１及び第２アーム２２を有する第２回動部材２０とで構成した。
【００２９】
この構成によれば、作業者はアーム１２、２２に力を掛けやすく、したがって、雄ねじ３１を挟持部１１、２１で強固に挟持して噛み合い部４１をシール３２に密着させ、シール３２の剥離をより確実に行うことができる。
【００３０】
また、仮にシール３２が完全に除去しきれなかった場合であっても、アーム１２、２２の把持を緩める、又は、把持を解放すれば、挟持部１１、２１が開くので、工具を逆方向に回転させて雄ねじ３１を挟持部１１、２１で再度挟み込み、シール３２の除去をやり直す「戻し回し動作」も容易に行うことができる（請求項３に記載の発明に対応する効果）。
【００３１】
以上、本発明の実施形態について説明したが、上記実施形態は本発明の適用例を示したに過ぎず、本発明の技術的範囲を上記実施形態の具体的構成に限定する趣旨ではない。本発明の趣旨を逸脱しない範囲で種々の変更が可能である。
【００３２】
例えば、上記実施形態では、管３の端部に形成された雄ねじ３１に付着したシール３２の除去にシール除去工具１を用いているが、シール除去工具は、丸棒の端部に形成された雄ねじに付着したシール、管又は丸棒の途中の外周面に付着したシールを除去するのにも用いることができる。
【符号の説明】
【００３３】
１    シール除去工具
１０  第１回動部材
１１  第１挟持部
１２  第１アーム
２０  第２回動部材
２１  第２挟持部
２２  第２アーム
３    管
３１  雄ねじ
３２  シール
４０  雌ねじ
４１  噛み合い部
Ｃ    突き合わせ面
【図１】
2012030317.tif 000003
【図２】
2012030317.tif 000004
【図３】
2012030317.tif 000005
【図４】
2012030317.tif 000006
【図５Ａ】
2012030317.tif 000007
【図５Ｂ】
2012030317.tif 000008